(57)【要約】本開示では、発電システム（７）の効率／コスト分析を提供するシステムと方法を説明する。本開示のシステムは、発電装置（７）のための複数の現在状態変数を獲得する現在状態データ獲得論理部（８３）を含む。設計定数獲得論理部（８５）は、発電装置（７）のための複数の設計定数を獲得し、分析論理部（２２０）は発電装置（７）の運転効率を計算する。本開示の方法は、発電装置（７）の効率／コスト分析を行う。本方法は、発電装置（７）のための複数の現在状態変数（８３）を獲得する工程と、前記発電装置（７）のための複数の設計定数（８５）を獲得する工程を含む。本方法は、現在状態変数と設計定数を用いて発電装置（７）の運転効率（２２０）を計算する。
2004508479.tif 000002
【特許請求の範囲】
【請求項１】
発電装置の効率／コスト分析方法であって、
発電装置（７）のための複数の現在状態変数（８３）を獲得する工程と、
前記発電装置（７）のための複数の設計定数（８５）を獲得する工程と、
前記発電装置（７）の運転効率（２２０）を計算する工程を備える方法。
【請求項２】
前記発電装置（７）のための複数の別の目標オペレーション変数（１００）を獲得する工程をさらに備える、請求項１の方法。
【請求項３】
複数の現在状態変数を獲得する前記工程は、
前記発電装置（７）のための複数のステージオペレーション変数（８４）を獲得する工程をさらに備え、
複数の設計定数を獲得する前記工程は、
前記発電装置（７）のための複数のステージ設計定数（８６）を獲得する工程をさらに備える、請求項２の方法。
【請求項４】
前記発電装置の運転効率を計算する前記工程は、
前記発電装置（７）の前記複数のステージオペレーション変数（１４０）の各ステージでの運転効率を計算する工程と、
前記発電装置（７）の前記複数のステージ設計定数（１４０）の各ステージでの運転効率を計算する工程をさらに備える、請求項３の方法。
【請求項５】
複数の別の目標オペレーション変数を獲得する前記工程は、
前記発電装置（７）のための複数の別のステージ目標オペレーション変数（１０４）を獲得する工程をさらに備える、請求項４の方法。
【請求項６】
前記発電装置の運転効率を計算する前記工程は、
前記発電装置（７）の前記複数の別のステージ目標オペレーション変数（１４０）の各ステージでの運転効率を計算する工程をさらに備える、請求項５の方法。
【請求項７】
複数の最適化変数（２３０）を計算して、前記発電装置（７）の改善された効率を保守コストと関連付けて前記改善された効率を達成する工程と、
前記発電装置（７）のための複数の最適化変数（２６０）を示すレポートを作成する工程をさらに備える、請求項６の方法。
【請求項８】
発電装置の効率／コスト分析システムであって、
前記発電装置（７）のための複数の現在状態変数を獲得する現在状態データ獲得論理部（８３）と、
前記発電装置（７）のための複数の設計定数を獲得する設計定数獲得論理部（８５）と、
前記発電装置（７）の運転効率（２２０）を計算する分析論理部を備えるシステム。
【請求項９】
前記発電装置（７）のための複数のステージオペレーション変数を獲得するステージオペレーション獲得論理部（８４）と、
前記発電装置（７）のための複数のステージ設計定数を獲得するステージ設計定数獲得論理部（８６）をさらに備える、請求項８のシステム。
【請求項１０】
前記分析論理部は、
前記発電装置（７）の前記複数のステージオペレーション変数の各ステージでの運転効率を計算するステージオペレーション計算論理部（１４０）と、
前記発電装置（７）の前記複数のステージ設計定数の各ステージでの運転効率を計算するステージ設計計算論理部（１４０）をさらに備える、請求項９のシステム。
【請求項１１】
前記発電装置（７）のための複数の別の目標オペレーション変数を獲得する目標オペレーション獲得論理部（１００）をさらに備える、請求項１０のシステム。
【請求項１２】
前記発電装置（７）のための複数の別のステージ目標オペレーション変数を獲得するステージ目標獲得論理部（１０４）をさらに備える、請求項１１のシステム。
【請求項１３】
前記分析論理部は、前記発電装置（７）の前記複数の別のステージ目標オペレーション変数の各ステージでの運転効率を計算するステージ目標計算論理部（１４０）をさらに備える、請求項１２のシステム。
【請求項１４】
複数の最適化変数（２３０）を計算して、前記発電装置（７）の改善された効率を保守コストと関連付けて前記改善された効率を達成する最適化計算論理部（２３０）と、
前記発電装置（７）のための複数の最適化変数を示すレポートを作成するレポート作成論理部（２６０）をさらに備える、請求項１３のシステム。
【請求項１５】
発電装置の効率／コスト分析システムであって、
前記発電装置（７）のための複数の現在状態変数（８３）を獲得する手段と、
前記発電装置のための複数の設計定数（８５）を獲得する手段と、
前記発電装置（７）の運転効率（２２０）を計算する手段を備えるシステム。
【請求項１６】
前記発電装置（７）のための複数の別の目標オペレーション変数（１００）を獲得する手段をさらに備える、請求項１５のシステム。
【請求項１７】
前記発電装置（７）のための複数のステージオペレーション変数（８４）を獲得する手段と、
前記発電装置（７）のための複数のステージ設計定数（８６）を獲得する手段をさらに備える、請求項１６のシステム。
【請求項１８】
前記運転効率を計算する手段は、
前記発電装置（７）の前記複数のステージオペレーション変数（１４０）の各ステージでの運転効率を計算する手段と、
前記発電装置（７）の前記複数のステージ設計定数（１４０）の各ステージでの運転効率を計算する手段をさらに備える、請求項１７のシステム。
【請求項１９】
複数の別の目標オペレーション変数を獲得する前記手段は、
前記発電装置（７）用の複数の別の目標オペレーション変数（１０４）を獲得する手段をさらに備える、請求項１８のシステム。
【請求項２０】
前記運転効率を計算する手段は、
前記発電装置（７）の前記複数の別のステージ目標オペレーション変数（１４０）の各ステージでの運転効率を計算する手段をさらに備える、請求項１９のシステム。
【請求項２１】
複数の最適化変数（２３０）を計算して、前記発電装置（７）の改善された効率を保守コストと関連付けて、前記改善された効率を達成する手段と、
前記発電装置（７）のための複数の最適化変数（２６０）を示すレポートを作成する手段をさらに備える、請求項２０のシステム。
【請求項２２】
発電装置の効率／コスト分析を行うプログラムを有するコンピュータ読み出し可能記録媒体であって、前記プログラムは、
前記発電装置（７）のための複数の現在状態変数（８３）を獲得する手段と、
前記発電装置（７）のための複数の設計定数（８５）を獲得する手段と、
前記発電装置（７）の運転効率（２２０）を計算する手段を備える、コンピュータ読み出し可能記録媒体。
【請求項２３】
前記発電装置（７）のための複数のステージオペレーション変数（８４）を獲得する第１のルーチン手段と、
前記発電装置（７）のための複数のステージ設計定数（８６）を獲得する第２のルーチン手段をさらに備える、請求項２２のコンピュータ読み出し可能媒体。
【請求項２４】
前記発電装置の前記複数のステージオペレーション変数の各ステージでの運転効率（１４０）を計算する第３のルーチン手段と、
前記発電装置（７）の前記複数のステージ設計定数の各ステージでの運転効率（１４０）を計算する第４のルーチン手段をさらに備える、請求項２３のコンピュータ読み出し可能媒体。
【請求項２５】
前記発電装置（７）のための複数の別の目標オペレーション変数（１００）を獲得する第５のルーチン手段と、
前記発電装置（７）用の複数の別のステージ目標オペレーション変数（１０４）を獲得する第６のルーチン手段をさらに備える、請求項２４のコンピュータ読み出し可能媒体。
【請求項２６】
複数の最適化変数（２３０）を計算して、前記発電装置（７）の改善された効率を保守コストと関連付けて前記改善された効率を達成する第７のルーチン手段と、
前記発電装置（７）のための複数の最適化変数（２６０）を示すレポートを作成する第８のルーチン手段をさらに備える、請求項２５のコンピュータ読み出し可能媒体。
【発明の詳細な説明】
【０００１】
【発明の背景】
本開示は、発電システムの効率／コスト分析に関し、特に、蒸気経路の調査時に蒸気タービンの運転の効率とコストに対する影響を分析するシステムと方法について述べる。
【０００２】
一般的に、蒸気タービン式発電システムの効率とその効率がコストに与える影響の予測は、複雑で手間のかかる工程である。一般的に、パフォーマンスエンジニアは、保修停止時に発電所（即ち、蒸気タービン式発電を利用している現場）を訪れ、蒸気タービンの状態を調査して、効率を改善して蒸気タービンの運転コストを下げるための保守を行うことを薦める。効率を改善して蒸気タービンの運転コストを下げるために、パフォーマンスエンジニアは各ステージ毎に蒸気タービンの効率を計算する必要がある。一旦各ステージで現在の効率性因子が認識されると、パフォーマンスエンジニアはタービンの各セクションでどのような保守や修理を行うべきかについて確立されたガイドラインや経験に基づく予測を利用して、その保守や修理がタービンの効率と運転コストに与える影響を割り出さなければならない。
【０００３】
発電所では保守のための予算が限られている場合もあるので、いくつかの代替案が必要である。少なくとも、コスト対便益の式を決定するための案が必要である。調査を行うエンジニアは、タービンの動作中での磨耗から生じるクリアランスや、タービンの初期の設計状態からのその他の変化を測定して、蒸気タービンの効率を計算しなければならない。これらの測定で得られた変化値からタービン効率に対する影響を計算する技術解析プログラムを実行する必要がある。この技術解析プログラムへの入力情報を準備する工程は、しばしば、時間がかかる上に間違いが生じやすい。
【０００４】
一般的に、調査を行うエンジニアは、電力システムの現場に対して、蒸気タービン式発電システムの状態を識別して保守と修理を薦める詳細レポートを準備する。このレポートには、エンジニアの所見やその提言をサポートするために行われる技術解析の結果が含まれている。このレポートを準備する工程は印刷用にフォーマット化する処理も含まれるため、処理時間が長い。
【０００５】
従来、この電力現場のレポートは、まずドラフト版として携帯型プリンタから紙に印刷した後で、カラープリンタで最終版の印刷を行ってから本社から郵送されていた。
【０００６】
このように、この産業界には、前述の欠陥や不適切さに取り組むという今まで対処されなかったニーズが存在している。
【０００７】
【発明の簡潔な概要】
本開示は、発電システムの運転効率／コスト分析を提供するシステムと方法を説明するものである。簡単に説明すると、本システムのアーキテクチャは以下のように実施することができる。本開示のシステムには、発電装置のための複数の現在状態変数を獲得する現在状態データ獲得論理部が含まれる。設計定数獲得論理部は、発電装置のための複数の設計定数を獲得し、分析論理部は発電装置の運転効率を計算する。
【０００８】
また、本開示は、発電システムの効率／コスト分析を行う方法を説明するものとみることができる。この点から、本方法は、以下の工程、即ち、発電装置のための複数の現在状態変数を獲得する工程と、上記発電装置のための複数の設計定数を獲得する工程によって大雑把に要約することができる。本方法は、現在状態変数と設計定数を用いて発電装置の運転効率を計算するものである。
【０００９】
以下の図面と詳細な説明を検討することによって、本開示のその他の特徴と利点が当業者に明らかとなる。本願のさらに別の特徴と利点の全ては、本発明の範囲内に含まれる。
【００１０】
以下の図面を参照すれば本開示をより理解することができる。図面の構成要素の寸法を測る必要はなく、その代わりに本発明の原理を明確に示すことに重点が置かれている。さらに、複数の全図面で対応する部分は、同じ参照番号で示されている。
【００１１】
【発明の実施の形態】
ここで、図面に示された本発明の記述について詳細に言及する。本発明はこれらの図面に関して説明されるが、本願で開示された１つ、もしくは複数の実施形態に限定されることはない。逆に、添付の請求項によって定義された本発明の精神と範囲内に含まれる全ての代替と修正と等価なものが含まれる。
【００１２】
ここで図面に戻って、図１は可能なシステム構成を示すブロック図であって、この構成は本発明の効率／コスト分析システムと方法とは独立したプラットフォームと柔軟性を示すものである。効率／コスト分析システムを様々な形態で構成することができるが、図１のブロック図は複数のコンピュータシステム５，６，１６，１８を示し、それらは直接かもしくはネットワークを介して発電システム７（即ち、蒸気タービン）に接続される。ネットワークは、例えば、これに限定されることはないが、ダイヤルインや同軸ケーブルやイーサネット（登録商標）やＬＡＮやＷＡＮやＰＳＴＮやイントラネットやインターネットネットワーク８，１７であってもよい。図１の各コンピュータシステムはユニークに図示されており、これによって効率／コスト分析システムが様々なハードウェアプラットフォーム上で動作することが強調されている。蒸気タービン式発電システム７がコンピュータシステムに接続されていない構成では、エンジニアはタービンについて測定と点検を行って、物理的にその結果を記録するが、これらは手動で、もしくはデータ入力ファイルを介してシステムに入力される。
【００１３】
図２に示すように、効率／コスト分析システム５０は、コンピュータシステム５，６，１６，もしくは１８内に存在することが示されている。一般的に、これらのコンピュータシステム５，６，８，もしくは１８は、プロセッサ２１とメモリ２２（例えば、ＲＡＭやＲＯＭやハードディスクやＣＤ−ＲＯＭ等）を備える。プロセッサ２１は、ローカルインタフェース２３、例えば、バスを介してメモリ３１からコードとデータを受け取る。例えば、これに限定されることはないが、マウス２４やキーボード２５等の入力用デバイスを利用して、ユーザからの指示を送ることができる。入力とその結果の出力動作については、ディスプレイ端末２６、もしくはプリンタ（不図示）に表示される。モデムやネットワークカード２７を用いることによって、効率／コスト分析システム５０はネットワーク上のその他のコンピュータやリソースをアクセスすることができる。
【００１４】
また、図２には、効率／コスト分析システム５０を構成するプロセスが示されている。効率／コスト分析システム５０は、以下のプロセス、即ち、新規プロジェクト作成プロセス６０とデフォルト構築プロセス８０と仮説構築プロセス１００とデータロードプロセス１２０とステージ単位・実行プロセス１４０と顧客出力作成プロセス１６０とＮ型パッキングシート追加プロセス１８０とスナウトリングシート追加プロセス２００とスナウトリング圧力解除プロセス２２０と顧客概要作成プロセス２４０と顧客出力印刷プロセス２６０と顧客概要印刷プロセス２８０をメモリ領域２２内に含む。また、データベース３３もメモリ領域２２内に含まれていることが示されている。本願のこれらの要素は、図２−図１５でさらに詳細に説明される。
【００１５】
メモリ領域２２は、例えば、これに限定されることはないが、電子的、磁気的、光学的、電磁気、赤外線、もしくは半導体のシステム、装置、デバイス、もしくは伝搬媒体であってもよい。メモリ領域２２の具体例（不完全なリスト）には、以下のもののいずれかが、それらのうちの１つ以上が含まれる。即ち、１本以上の配線を有する電気接続部（電子）と携帯型コンピュータディスケット（磁気）とランダムアクセスメモリ（ＲＡＭ）（磁気）と読み出し専用メモリ（ＲＯＭ）（磁気）と消去可能プログラマブル読み出し専用メモリ（ＥＰＲＯＭ、もしくはフラッシュメモリ）（磁気）と光ファイバ（光学的）と携帯型コンパクトディスク読出し専用メモリ（ＣＤＲＯＭ）（光学的）である。
【００１６】
図３は、本開示の効率／コスト分析システム５０の一例を示すフローチャートである。効率／コスト分析システム５０によって、各エンジニアは顧客の蒸気タービン式発電システムを訪れて、蒸気タービンを点検し、保守と部品交換と装置全体の運転効率／運転コストを改善する方法を推奨することができる。効率／コスト分析システム５０によって、パフォーマンスエンジニアはデータを入力し、システム内の蒸気タービンの運転効率／コスト分析を計算し、分析を行うことによってパフォーマンスエンジニアを導くことができる。まず、パフォーマンスエンジニアは新規プロジェクト作成プロセス６０を利用して新規プロジェクトを作成する。新規プロジェクト作成プロセス６０によって、ユーザは本開示の効率／コスト分析システム５０によって分析すべき蒸気タービンのサイト変数を定義することができる。本願の新規プロジェクト作成プロセス６０は、図４でさらに詳細に定義される。
【００１７】
次に、効率／コスト分析システム５０は、デフォルトの構築プロセス８０を実行する。このオペレーションによって、インタフェースが構築され、効率／コスト分析システム５０によって処理されるべき蒸気タービン装置の設計パラメータをロードすることができる。また、このオペレーションによってインタフェースが構築され、現在の状態のデータと、提案された保守が実行された後の蒸気タービン装置の状態のデータの収集が可能になる。必要な入力情報には、デフォルトパラメータに変更が必要になりそうな値が含まれる。本願のデフォルトの構築プロセス８０は、図５でさらに詳細に定義される。
【００１８】
次に、仮説構築プロセス１００が実行される。本工程は、推奨された１つ以上の保守の組合わせが報告された場合に実行される。仮説構築プロセスは、インタフェースを構築することによって、さらに別の保守用のコンフィグレーションのためのデフォルトの構築プロセスで指定された初期値からの変更が必要な最も可能性のある値であるさらに別のデータを収集することができる。本願の仮説構築プロセス１００は、図６でさらに詳細に定義される。
【００１９】
次に、データロード・オペレーションプロセス１２０が実行される。データロードプロセス１２０は、蒸気タービン装置の設計パラメータのデータをロードする。データロードプロセス１２０によって、ユーザは蒸気タービン装置の現在の状態を示すデータと、修理と保守後の蒸気タービン装置の期待状態を示すデータを入力することができる。本願のデータロード・オペレーションプロセス１２０は、図７でさらに詳細に定義される。次に、ステージ単位・実行プロセス１４０が実行される。本プロセスは、選択されたグループと選択されたステージのデータのために、ステージ単位で入力されたファイルを作成する。本願のステージ単位・実行プロセス１４０は、図８でさらに詳細に定義される。
【００２０】
次に、顧客出力作成プロセス１６０が実行される。顧客出力作成プロセス１６０によって、ユーザは比較される蒸気タービン装置の状態とセクションを識別することができる。本願の顧客出力作成プロセス１６０は、図９でさらに詳細に定義される。次に、Ｎ型パッキングシート追加プロセス１８０が実行される。Ｎ型パッキングシート追加プロセス１８０によって、ユーザは分析すべき複数のＮ型パッキングを識別し、選択された複数のＮ型パッキングに入力データを与えることができる。本願のＮ型パッキングシート追加プロセス１８０は、図１０でさらに詳細に定義される。
【００２１】
次に、スナウトリング追加プロセス２００が実行される。スナウトリング追加プロセス２００によって、ユーザはスナウトリングバルブ数とバルブ毎の最大リング数を指定し、指定された各バルブのためのデータを入力することができる。本願のスナウトリング追加プロセス２００は、図１１でさらに詳細に定義される。次に、スナウトリング圧力解除プロセス２２０が実行され、各バルブに対する各リング間の最適な中間圧力が計算される。本願のスナウトリング圧力解除プロセス２２０は、図１２でさらに詳細に定義される。
【００２２】
顧客概要作成プロセス２４０によって、ユーザは顧客概要出力に含められるセクションを選択することができる。本願の顧客概要作成プロセス２４０は、図１３でさらに詳細に定義される。顧客出力印刷プロセス２６０は、比較レポートと出力プリンタを選択し、電子版の比較レポートを作成するかどうかを選択するための手段をユーザに提供する。本願の顧客出力印刷プロセス２６０は、図１４でさらに詳細に定義される。効率／コスト分析システム５０によって実行される最後のプロセスは、顧客概要印刷プロセス２８０である。顧客概要印刷プロセス２８０によって、ユーザは比較概要レポートと出力プリンタを選択し、電子版の比較概要レポートを作成するかどうかを示すことができる。本願の顧客概要印刷プロセス２８０は、図１５でさらに詳細に定義される。
【００２３】
図４は、本開示の効率／コスト分析システム５０で利用可能な新規プロジェクト作成プロセス６０の一例を示すフローチャートである。まず、工程６１で新規プロジェクト作成プロセス６０が初期化される。これにより、新規プロジェクトファイルが作成される。工程６２で、新規プロジェクト作成プロセス６０はサイト変数のリストを検索し、それらをプロジェクトファイルに追加するので、ユーザは工程６４で、これらの関連値を入力することができる。また、新規プロジェクト作成プロセス６０は、工程６２でベースセクションデータシートを構築する。工程６３で、新規プロジェクト作成プロセス６０は、セクション変数と各変数についての記述したコメントをコピーしてプロジェクトファイルを生成する。また、工程６３で、新規プロジェクト作成プロセス６０は、全体的／部分的効率に対する影響を計算するために必要な出力変数リストをコピーする。出力変数には、抽出されてワークグループに格納されるステージ単位の出力変数のリストが含まれる。また、出力変数には、大局変数と呼ばれる全セクションに適用される一部の結果も含まれる。各変数は、値がステージ向け変数であるか、もしくは大局変数であるかを示す。ユーザは、図８で定義される本願のステージ単位・実行プロセス１４０を実行して、現在のプロジェクトのための追加の値を検索する前に、このワークグループにさらに別の変数値を追加することができる。
【００２４】
次に、工程６４で、ユーザはサイト変数を入力するように要求される。これらのサイト変数には、これに限定されることはないが、顧客名と顧客ＩＤと燃料費と大局パラメータが含まれ、大局パラメータにはタービン数やタービンのキロワット出力やフィギュアプラント発熱率や容量因子やコスト因子やＮ型パッキング数やバルブ数やバルブ毎の最大スナウトリング数等が含まれる。
【００２５】
次に、工程６５で、ユーザは各セクションを名前で定義するかどうか尋ねられる。工程６６で、新規プロジェクト作成プロセス６０は、ユーザが定義したセクション名毎のセクションデータ変数のコラムを作成する。セクションデータ変数には、ベース変数を構築する前に完成する必要のある最初と最後のステージ番号が含まれる。ベースセクション変数は、蒸気タービン発電装置の設計値である。ベースセクション変数には、これに限定されることはないが、回転数／分とセクションボウル圧とセクションボウル温度とセクションボウルエンタルピーとセクション排気圧とセクション排気温度とセクション排気エンタルピーが含まれる。
【００２６】
ステージ番号はグループ間でユニークである必要はないため、２つのグループが同じセクションに対して２つのフローを示す場合、そのステージ番号を繰り返してもよい。工程６７でこれらの番号が入力されると、セクションデータ変数の入力が可能となる。本ステージではその他の変数がユーザによって入力されるか、もしくは別のソースからステージ毎に入力されたファイルを読み出すことによって、それらの変数がロードされるかどうかが示される。
【００２７】
工程６８で、新規プロジェクト作成プロセス６０は構築すべきグループが他にも存在するかどうかを判定する。構築すべきグループが他にも存在する場合は、新規プロジェクト作成プロセス６０は工程６４に戻って、工程６４から６８の処理を繰り返す。構築すべきグループが存在しない場合は、工程６９で新規プロジェクト作成プロセスは終了する。
【００２８】
図５は、本開示の効率／コスト分析システム５０で利用可能なデフォルト構築プロセス８０を示す。まず工程８１で、デフォルト構築プロセス８０が初期化される。次に工程８２で、デフォルト構築プロセス８０は、新規プロジェクト作成プロセス６０（図４）で定義されたセクションデータ変数を用いてベースステージ・データワークシートを構築する。また、工程８２で、デフォルト構築プロセス８０は、分析プロセスで利用され全変数に対して入力されたデータパラメータをベースステージ・データワークシートにコピーして、それらの変数に対するデータがユーザによって入力される各グループ内の各ステージに対して個別のコラムを構築する。ベースステージデータ変数には、これに限定されることはないが、ステージフローとキャリーオーバタイプとステージタイプとノズルパラメータとバケットパラメータとクリアランス／ホイールホールパラメータが含まれる。
【００２９】
次に工程８３で、デフォルト構築プロセス８０は、ベースセクションデータ変数を用いて開セクションデータワークシートを構築する。これらのベースセクションデータ変数には、本発明の効率／コスト分析システム５０によって分析されるデバイスの設計値とはおそらく異なるセクション変数が含まれる。設計状態とはおそらく異なる開セクションデータ変数には、これに限定されることはないが、セクショングループ圧とセクショングループ温度とセクショングループエンタルピーとセクション排気圧とセクション排気温度とセクション排気エンタルピーが含まれる。工程８４で、デフォルト構築プロセス８０は、セクションデータ変数を利用して開ステージ・データワークシートを構築し、評価されるデバイスの設計値とはおそらく異なる変数値をコピーする。開ステージ・データ変数値は、蒸気タービン式発電装置の各ステージの現在の変数値である。設計状態とはおそらく異なる開ステージデータ変数には、これに限定されることはないが、ノズルやバケットに対するダメージのクリアランス／ステージフロー／補正因子が含まれる。
【００３０】
また、工程８４で、デフォルトの構築プロセス８０は、これらの変数値に対するデータがユーザによって入力される各グループ内の各ステージのための個別のコラムを構築する。次に、工程８５でデフォルト構築プロセス８０は、ベースセクションデータ変数を用いて閉セクションデータワークシートを構築する。また、これらの閉セクションデータ変数には、設計値とはおそらく異なるセクション変数が含まれる。閉セクションデータ変数は、蒸気タービン式発電装置の最適な目標変数値である。設計状態とはおそらく異なる閉セクションデータ変数には、これに限定されることはないが、セクションボウル圧とセクションボウル温度とセクションボウルエンタルピーとセクション排気圧とセクション排気温度とセクション排気エンタルピーが含まれる。
【００３１】
工程８６で、セクションデータ変数を用いて閉ステージ・データワークシートが構築される。閉ステージデータ変数は、蒸気タービン式発電装置のステージ毎の最適な目標変数値である。設計状態とはおそらく異なる閉ステージデータ変数には、これに限定されることはないが、ノズルやバケットに対するダメージのクリアランス／ステージフロー／訂正因子が含まれる。ここで、デフォルト構築プロセス８０は、設計値とはおそらく異なるデータ変数をコピーして、これらの変数に対するデータがユーザによって入力される各グループ内の各ステージのための個別のコラムを構築する。工程８９で、デフォルト構築プロセス８０は終了する。
【００３２】
図６は、本開示の効率／コスト分析システム５０で用いることができる仮説構築プロセス１００を示す。仮説構築プロセス１００によって、ユーザは、ベース状態データ（即ち、設計状態値）変数や開状態データ（即ち、現在の状態値）変数や閉状態データ（即ち目標状態値）変数と比較するために、異なる目標状態（即ち、別の目標状態値）の代表的なデータ変数を含ませることができる。仮説構築プロセス１００の第１の工程は、工程１０１での初期化である。次に、工程１０２で、仮説構築プロセス１００は、ユーザに仮説ワークシート名を入力するように要求する。工程１０３で、仮説構築プロセス１００は、新たにセクションデータワークシートを作成し、セクション変数をコピーして、おそらく異なるワークシートを作成する。仮説セクションデータ変数には、これに限定されることはないが、開／閉セクションデータ変数を構成する際に定義される２，３の変数が含まれる。工程１０４では、ベースセクションデータ変数を用いて新たなステージデータワークシートが構築され、仮説ステージ変数がワークシートにコピーされる。仮説ステージデータ変数には、これに限定されることはないが、開／閉ステージデータ変数を構成する際に定義される２，３の変数が含まれる。これらの仮説セクションデータ変数には、設計値とはおそらく異なる変数が含まれる。工程１０５で、仮説構築プロセス１００は、これらの変数に対するデータがユーザによって入力される各グループ内の各ステージのための個別のコラムを構築する。工程１０９で、仮説構築プロセス１００は終了する。
【００３３】
図７は、本開示の効率／コスト分析システム５０で利用可能なデータロードプロセス１２０を示す。まず工程１２１で、データロードプロセス１２０が初期化される。工程１２２で、データロードプロセス１２０は、設計データファイルが利用可能であるかどうかを判定する。工程１２２で設計データファイルが利用可能でないと判定されると、データロードプロセス１２０は工程１３５に進み、ユーザは現在の設計状態のデータをベースセクションとステージデータシートに入力することができる。工程１３５で設計状態のデータを入力した後、データロードプロセスは工程１３７に進む。
【００３４】
工程１２２で設計データファイルが利用可能であると判定されると、工程１２３でデータロードプロセス１２０は、ユーザに選択された入力セクションを示すように要求する。次に、工程１２４で、データロードプロセス１２０は、入力セクションが示されるかどうかを判定する。入力セクションが示されていない場合は、データロードプロセス１２０は工程１２３に戻って、選択された入力セクションを要求する。工程１２４で入力セクションが示されたと判定されると、工程１２５で、データロードプロセス１２０は、選択された入力ファイルを要求する。工程１２６で、データロードプロセスは、工程１２５でファイルが選択されたかどうかを判定する。工程１２５で入力ファイルが選択されなかったならば、データロードプロセス１２０は工程１２５に戻って処理を繰り返す。
【００３５】
工程１２６でファイルが選択されたと判定されると、工程１３１で、データロードプロセス１２０は選択された入力ファイルを検索する。工程１３２で、データロードプロセスは選択された入力ファイルを、選択されたベースセクションとステージデータセクション用のワークシート内のコラムにロードする。設計入力ファイルの各変数は、タグによって明白に、もしくは暗黙に識別される。これらのタグは、全入力変数用のセクションデータシートとステージ変数用ステージデータシートの各変数に関連する。データロードプロセス１２０は、まず全セクション変数を処理し、入力ファイルから読み出された全セクション変数の各々のベースセクションデータシート上の正しい行を決定し、現在のワークグループに対応する選択された行と列に入力ファイルからの値を挿入する。
【００３６】
工程１３３で、データロードプロセス１２０は入力ファイル内の各ステージを処理する。読み出されたステージ変数毎の行は、ベースステージデータシート上で求められる。ベースステージデータシート上の現在のワークグループ内の現在のステージに関連する選択された行と列に対応する値がコピーされる。
【００３７】
工程１３７では、データロードプロセス１２０によって、ユーザは設計値とは異なるデータ状態を入力することができる。設計値とは異なるその他の状態でのデータの入力後、工程１３９でデータロードプロセス１２０は終了する。
【００３８】
図８は、本開示の効率／コスト分析システム５０で利用可能なステージ単位・実行プロセス１４０を示す。ステージ単位・実行プロセス１４０によって、ユーザは後で分析するために構築すべき１つ以上のセクションと状態の組み合わせを示すことができる。まず工程１４１で、ステージ単位・実行プロセス１４０が初期化される。工程１４２で、ユーザは実行すべきセクションを選択するように要求される。ユーザは１つ以上のセクション（グループ）を選択してもよい。工程１４３で、ステージ単位・実行プロセス１４０は、ユーザが工程１４２で要求された実行すべきセクションを選択したかどうかを判定する。要求された実行すべきセクションをユーザが選択しなかったと判定されると、ステージ単位・実行プロセス１４０は工程１４２に戻って処理を繰り返す。
【００３９】
工程１４３で実行すべきセクションをユーザが選択したと判定されると、工程１４４で、ステージ単位・実行プロセス１４０はユーザに実行すべき状態を選択するように要求する。選択する状態には、これに限定されることはないが、ユーザが構築したベース、開、閉仮説状態の複数の事例と、その全ての事例が含まれる。ユーザは１つ以上の状態を選択してもよい。工程１４５で、ステージ単位・実行プロセス１４０は、実行される状態が選択されたかどうか、もしくは１つ以上の状態が選択されるのかどうかを判定する。工程１４５で状態が選択されなかったと判定されたり、より多くの状態が選択される場合は、ステージ単位・実行プロセス１４０は工程１４４に戻って処理を繰り返す。
【００４０】
工程１４５で実行される状態をユーザが選択したと判定されると、工程１４６で、ステージ単位・実行プロセスは選択された各セクションと選択された各状態を対にして、選択されたセクションと状態の組み合わせを構築し、第１の組み合わせを選択する。
【００４１】
工程１５１で、セクション−状態の組み合わせが他にも存在するかどうかを判定して、ステージ毎の分析を行って処理する。工程１５１で実行すべきセクション−状態の組み合わせが存在しないと判定されると、工程１５９でステージ単位・実行プロセス１４０は終了する。
【００４２】
作成すべきセクション−状態の組み合わせが他にも存在すると判定されると、工程１５２で、ステージ単位・実行プロセス１４０はステージ単位の新規の分析入力ファイル、もしくは現在のセクションと状態の組み合わせを構築する。同じ値のためのステージデータシートとベースセクションとステージデータシートと選択された状態セクションからのデータを利用して、ステージ単位の新規の分析ファイルが構築される。また、工程１５２で、まず、ステージ単位・実行プロセス１４０は、ベースセクションデータシートの値の前の非空白の各変数にタグを書き込むことによって、ステージ単位・分析ファイルのセクション変数セクション全体を構築する。次に、現在の状態がベース状態ではなく、変数が現在の状態セクションデータワークシート上で空白ではないならば、分析入力用ファイルにタグが書き込まれ、次に新たな値がくる。これにより、ステージ単位・実行プロセス１４０は、値を分析入力ファイルから読み出された最新の値に書き換えることができる。さらに、工程１５２で、ステージ単位・実行プロセス１４０は、ベースステージデータシートの非空白の各変数にタグを書き込み、次に現在のセクションに対する変数値がくることによって各ステージに対するデータ入力情報を構築する。同様に、現在の状態がベースステージではなく、変数が現在の状態ステージデータワークシート上で空白ではない場合は、分析入力ファイルにタグが書き込まれ、次に新たな値がくる。
【００４３】
工程１５３で、ステージ単位・実行プロセス１４０は新たな入力ファイルを処理する。また、ステージ単位・分析出力ファイルを処理して、（図４で識別される）出力変数を読み出し、新規のワークシートに出力データを格納することができる。次のセクション−状態の組み合わせが選択される。ステージ単位・実行プロセス１４０は、工程１５１に戻って処理を繰り返す。
【００４４】
図９は、本開示の効率／コスト分析システム５０で利用可能な顧客出力作成プロセス１６０を示す。顧客出力作成プロセス１６０によって、ユーザは１つ以上の比較オペレーションを選択することができる。この特定の例では、これに限定されることはないが、セクション効率性の損失や装置のキロワット損失や発熱率の損失や損失による燃料費が比較される。この例では、これに限定されることはないが、ノズルやバケットや、先端や根元や軸からの漏れと、その他の原因に対するこれらの損失が計算される。
【００４５】
工程１６１では、顧客出力作成プロセス１６０が初期化されて処理が始まる。工程１６２で、顧客出力作成プロセス１６０は、ユーザに比較すべき状態を示すように要求する。工程１６３では、比較すべき状態が選択されたかどうかが判定される。工程１６３で比較すべき状態が選択されなかったと判定されると、顧客出力作成プロセス１６０は工程１６２に戻って処理を繰り返す。
【００４６】
工程１６３で要求された比較すべき状態が選択されたと判定されると、工程１６４で、顧客出力作成プロセス１６０はユーザに比較すべきセクションを選択するように要求する。工程１６５では、要求された比較すべきセクションが選択されたかどうかが判定される。工程１６５で比較すべきセクションが選択されなかったと判定されると、顧客出力作成プロセス１６０は工程１６４に戻って処理を繰り返す。工程１６５で比較すべきセクションが選択されたと判定されると、工程１６６で顧客出力作成プロセス１６０は状態比較セクションの組み合わせを構築する。
【００４７】
工程１７１で、顧客出力作成プロセス１６０は、比較すべき組み合わせが他にも存在するかどうかを判定する。工程１７１で比較すべき組み合わせが存在しないと判定されると、工程１７９で、顧客出力作成プロセス１６０は終了する。
【００４８】
しかしながら、工程１７１で比較すべき組み合わせが他にも存在すると判定されると、工程１７２で顧客出力作成プロセス１６０は指示された比較を実行する。顧客出力作成プロセス１６０は、選択されたセクションの２つの比較の状態（例えば、ベースと閉）から得られた出力結果を比較する。性能を測定する各ステージのために選択された出力変数に対して、第１状態と第２状態間の差が計算される。次に、注目の値、例えば、これに限定されることはないが、発熱率の損失や損失による燃料費等が、その差と、工程６２（図４）で入力された全サイト変数から計算される。全てのステージが計算されると、グループ（セクション）全体に対する影響が計算される。
【００４９】
工程１７３で、顧客出力作成プロセス１６０は、工程１７２で実行した比較結果からのデータを利用して、出力レポートを構築する。出力レポートには、重要な値、例えば、これに限定されることはないが、セクション効率性の損失率や発熱率の損失やセクションの重要部分の損失による燃料費等に関する性能への影響を要約したテーブルが含まれる。重要部分の損失による燃料費には、これに限定されることはないが、ノズルやバケットや先端からの漏れや軸からの漏れや根元からの漏れやその他の損失が含まれる。次の状態−セクションの組み合わせが選択され、顧客出力作成プロセス１６０は工程１７１に戻って処理を繰り返す。
【００５０】
図１０は、本開示の効率／コスト分析システム５０で利用可能なＮ型パッキング追加プロセス１８０を示す。Ｎ型パッキング追加プロセス１８０によって、ユーザはＮ型パッキンの数を定義して、Ｎ型パッキングの分析に必要な入力データシートを作成し、分析することができる。
【００５１】
まず工程１８１で、Ｎ型パッキング追加プロセス１８０が初期化される。工程１８２で、Ｎ型パッキング追加プロセス１８０は、ユーザに処理すべきＮ型パッキングの数を選択するように要求する。工程１８３で、Ｎ型パッキング追加プロセス１８０はＮ型パッキングの数が指定されたかどうかを判定する。工程１８３でＮ型パッキングの数が指定されなかったと判定されると、Ｎ型パッキング追加プロセス１８０は工程１８２に戻って処理を繰り返す。
【００５２】
しかしながら、工程１８３でＮ型パッキングの数が指定されたと判定されると、工程１８４でＮ型パッキング追加プロセス１８０はＮ型パッキングデータ／計算用シートを作成する。工程１８５で、Ｎ型パッキング追加プロセス１８０は、ユーザに設計／測定データをＮ型パッキングデータシート上の第１のＮ型パッキングコラムに入力させることによって、第１のＮ型パッキングから開始する。次に、工程１８６で処理すべきＮ型パッキングが他にも存在するかどうかが判定される。工程１８６で処理すべきＮ型パッキングが存在しないと判定されると、Ｎ型パッキング追加プロセスは工程１８９に進んで終了する。しかしながら、工程１８６で処理すべきＮ型パッキングが他にも存在すると判定されると、Ｎ型パッキング追加プロセス１８０はユーザに設計／測定データをＮ型パッキングデータシート上の次のＮ型パッキングコラムに入力させる。Ｎ型パッキング追加プロセス１８０は、工程１８６に戻って処理を繰り返す。
【００５３】
図１１は、本開示の効率／コスト分析システム５０で利用可能なスナウトリング追加プロセス２００を示す。本プロセスによって、ユーザはフロー効率に対してスナウトリングのクリアランスが与える影響を計算するために必要なデータを入力することができる。バルブ数と、各バルブで可能な最大リング数が確立される。
【００５４】
まず工程２０１で、スナウトリング追加プロセス２００が初期化される。また、工程２０１で、スナウトリング追加プロセス２００は、スナウトリングバルブのデフォルトの数とバルブ毎の最大リング数をロードする。工程２０２で、スナウトリング追加プロセスは、ユーザに新たなスナウトリングバルブ数と、バルブ毎の最大リング数を指定するように要求する。工程２０２でユーザが新たなスナウトリングバルブ数とバルブ毎の最大リング数を指定しないならば、スナウトリング追加プロセス２００は、初期化中に確立されたデフォルトのスナウトリングバルブ数とバルブ毎の最大リング数を用いる。
【００５５】
工程２０３で、スナウトリング追加プロセス２００は新たなスナウトリングシートを作成する。工程２０１で定義されたバルブ毎の最大リング数を用いて行セクションを定義し、スナウトリングシート上のデータを設定する。工程２０４で、バルブ毎のリング数が選択される。未使用のリングセクションは黒で塗りつぶされるので、不注意によるデータ入力を防ぐことができる。工程２０５で、バルブ毎に入力されたバルブデータが入力される。工程２０６で、スナウトリング追加プロセス２００は処理すべきスナウトリングバルブが他にも存在するかどうかを判定する。工程２０６で処理すべきスナウトリングバルブが他にも存在すると判定されると、スナウトリング追加プロセス２００は工程２０３に戻って工程２０３から工程２０６の処理を繰り返す。しかしながら、工程２０６で処理すべきスナウトリングバルブが存在しないと判定されると、工程２０９でスナウトリング追加プロセス２００は終了する。
【００５６】
図１２Ａと１２Ｂは、本開示の効率／コスト分析システム５０で利用可能なスナウトリング圧力解除プロセス２２０を示す。図１２Ａは、より高レベルのスナウトリング圧力解除プロセス２２０の一例を示し、図１２Ｂは、スナウトリング圧力解除プロセス２２０で利用される中間圧力計算ルーチンの一例を示す。まず工程２２１で、スナウトリング圧力解除プロセス２２０が初期化される。工程２２２で、スナウトリング圧力解除プロセス２２０は、処理すべき最初と次のバルブのデータを獲得する。
【００５７】
工程２２３で、スナウトリング圧力解除プロセス２２０は、中間圧力計算ルーチン２３０を実行して中間圧力を計算し、最適化する。本願の中間圧力計算ルーチン２３０は、図１２Ｂでさらに詳細に説明される。
【００５８】
中間圧力計算ルーチン２３０の実行後、工程２２４で、スナウトリング圧力解除プロセス２２０は処理すべきバルブが他にも存在するかどうかを判定する。工程２２４で処理すべきバルブが他にも存在すると判定されると、工程２２５でスナウトリング圧力解除プロセス２２０は次のバルブのデータを獲得し、工程２２３に戻って処理を繰り返す。
【００５９】
工程２２４で、スナウトリング圧力解除プロセス２２０で中間圧力を計算しなければならないバルブが存在しないと判定されると、スナウトリング圧力解除プロセス２２０は工程２２６に進んで、前の最適化が失敗したかどうかを判定する。最適化が満足な結果に到達しなかった場合、最適化は失敗となる。工程２２６で、前の最適化が失敗したと判定されると、スナウトリング圧力解除プロセス２２０は失敗した全てのバルブを識別し、工程２２２に戻って工程２２２から工程２２６の失敗したバルブの処理を繰り返す。しかしながら、工程２２６で前の最適化が失敗しなかったと判定されると、スナウトリング圧力解除プロセス２２０は工程２２９で終了する。
【００６０】
図１２Ｂは、中間圧力計算ルーチン２３０を示す。まず工程２３１で、中間圧力計算ルーチン２３０は、中間圧力が割り当てられたかどうかを判定する。工程２３１で中間圧力が割り当てられなかったと判定されると、工程２３４で中間圧力計算ルーチン２３０はデフォルトの中間圧力を計算する。中間圧力は、工程１３１（図７）でユーザが事前に入力した最初と最後の圧力値間の線形補間によって計算され、工程１２３に進む。
【００６１】
しかしながら、工程２３１で中間圧力が割り当てられたと判定されると、工程２３２で中間圧力計算ルーチン２３０は、前の最適化が失敗したかどうかを判定する。工程２３２で、前の最適化が失敗しなかったと判定されると、中間圧力計算ルーチン２３０は工程２３５に進む。しかしながら、工程２３２で前の最適化が失敗したと判定されると、工程２３３で、中間圧力計算ルーチン２３０はユーザに中間圧力を手動で変更して、最適化処理の新たな開始点を提供するように要求する。
【００６２】
工程２３５で、中間圧力計算ルーチン２３０は現在のリング間の流速を計算する。次に、工程２３６で、計算されたリング間の最大／最少流速間の差が閾値より大きいかどうかを判定する。工程２３６で流れの差が閾値よりも小さいと判定されると、中間圧力計算ルーチン２３０は工程２２４（図１２Ａ）に戻る。
【００６３】
しかしながら、工程２３６で計算された流速が閾値より大きいと判定されると、工程２３７で中間圧力計算ルーチン２３０は既知の最適化技術で用いられる中間圧力を修正し、計算された流速と圧力の差を最小化する。次に工程２３８で、中間圧力計算ルーチン２３０は現在の最適化の繰り返しが失敗したかどうかを判定して、工程２３８で所定の繰り返し数の制限内で規定の閾値より小さい差を得るための解を求める。最適化が失敗しなかったならば、中間圧力計算ルーチン２３０は最適化の繰り返し数を増やし、工程２３５に戻って処理を繰り返す。工程２３８で最適化の繰り返しが失敗したと判定されると、工程２３９で中間圧力計算ルーチン２３０は失敗した解をハイライトし、工程２２４（図１２Ａ）に戻る。
【００６４】
図１３は、本開示の効率／コスト分析システム５０で利用可能な顧客概要作成プロセス２４０を示す。まず工程２４１で、顧客概要作成プロセス２４０が初期化される。次に工程２４２で、Ｎ型パッキングとスナウトリングの結果を要約するカバーシートとその他のシートが作成される。工程２４３で、顧客概要作成プロセス２４０は、ユーザに概要に含ませるべきセクションを選択するように要求する。工程２４４で、顧客概要作成プロセス２４０は、概要に含ませるべきセクションが選択されたかどうかを判定する。工程２４４で概要に含ませるべきセクションが選択されなかったと判定されると、顧客概要作成プロセス２４０は工程２４３に戻って処理を繰り返す。
【００６５】
しかしながら、工程２４４で概要に含ませるべきセクションが選択されたと判定されると、顧客概要作成プロセス２４０によって、ユーザはどのシートが開／閉状態を表すかを識別することができる。通常、これらは開／閉状態に対するデフォルトであってもよく、それらが「仮説分析を実行する場合は、（特に様々な保守オペレーションが実行された結果として別の閉状態を表すために）ユーザはその他の状態を選択してもよい。次に、工程２４６で、セクションと状態の比較シートから合計値を選択し、それらを概要シートにコピーすることによって選択された各セクションの全ステージに対して顧客概要レポートが作成される。
【００６６】
次に工程２５１で、顧客概要作成プロセス２４０は、Ｎ型パッキングが定義されたかどうかを判定する。ユーザがＮ型パッキングシート追加プロセス１８０（図１０）を実行してＮ型パッキングシートを構築しなかった場合は、Ｎ型パッキングは定義されない。工程２５１でＮ型パッキングが定義されていないと判定されると、顧客概要作成プロセス２４０は工程２５３までスキップする。しかしながら、工程２５１でＮ型パッキングが定義されたと判定されると、工程２５２で、顧客概要作成プロセス２４０は計算された効率に対する影響を、定義された各Ｎ型パッキング（コラム）のＮ型パッキングシートから選択することによってＮ型パッキングの概要を計算する。Ｎ型パッキングに対する全影響が合計され、概要シートにコピーされる。
【００６７】
工程２５３で、顧客概要作成プロセス２４０は、スナウトリングが定義されたかどうかを判定する。スナウトリングが定義されていない場合は、顧客概要作成プロセス２４０は工程２５９に進んで終了する。スナウトリングシート作成プロセス２００（図１１）と（図１２）のスナウトリング圧力解除プロセス２２０によって、ユーザがスナウトリングシートを構築しなかった場合は、スナウトリングは定義されない。しかしながら、工程２５３でスナウトリングが定義されたと判定されると、工程２５４で、顧客概要作成プロセス２４０は計算された効率に対する影響を、定義された各バルブのスナウトリングシートから選択することによってスナウトリングの概要を計算する。スナウトリングからの全影響が合計され、概要シートにコピーされる。次に、工程２５９で顧客概要作成プロセス２４０は終了する。
【００６８】
図１４は、本開示の効率／コスト分析システム５０で利用可能な顧客出力印刷プロセス２６０を示す。まず工程２６１で、顧客出力印刷プロセス２６０が初期化される。工程２６２で、顧客出力印刷プロセス２６０はユーザに出力用比較レポートを選択するように要求する。工程２６３と２６４で、顧客出力印刷プロセス２６０は、ユーザに比較レポート用のプリンタと色を選択するように要求する。ユーザは出力すべき比較レポート用のカラー、もしくは白黒印刷オプションを選択する。工程２６５で、顧客出力印刷プロセス２６０は工程２６３で選択されたプリンタに比較レポートを送信する。
【００６９】
工程２６６で、ユーザが電子版の比較レポートの作成を望んでいるかどうかを判定する。ユーザが電子版の比較レポートの作成を望んでいないと判定されると、顧客出力印刷プロセス２６０は工程２６８までスキップし、出力すべき比較レポートが他にも存在するかどうかを判定する。しかしながら、工程２６６で、ユーザが電子版の比較レポートの作成を望んでいると判定されると、工程２６７で、顧客出力印刷プロセス２６０は電子版の比較レポートを作成し、指示された送り先に保存する。
【００７０】
工程２６８で、顧客出力印刷プロセス２６０は出力すべき比較レポートが他にも存在するかどうかを判定する。工程２６８で出力すべき比較レポートが他にも存在すると判定されると、顧客出力印刷プロセス２６０は工程２６２に戻って工程２６２から工程２６８の処理を繰り返す。しかしながら、工程２６８で出力すべき比較レポートが存在しないと判定されると、工程２６９で顧客出力印刷プロセス２６０は終了する。
【００７１】
図１５は、本開示の効率／コスト分析システム５０で利用可能な顧客概要印刷プロセス２８０を示す。まず工程２８１で、顧客概要印刷プロセス２８０が初期化される。工程２８２と工程，２８３で、ユーザは比較概要レポートを出力するために、プリンタとカラーを選択するように要求される。工程２８４で、顧客概要印刷プロセス２８０は比較概要レポートをプリンタに送信する。
【００７２】
工程２８５で、ユーザが電子版の比較概要レポートの作成を望んでいるかどうかを判定する。ユーザが電子版の比較概要レポートの作成を望んでいないと判定されると、工程２８９で、顧客概要印刷プロセス２８０は終了する。しかしながら、工程２８５でユーザが電子版の比較概要レポートの作成を望んでいると判定されると、工程２８６で、顧客概要印刷プロセス２８０は電子版の比較概要レポートを作成し、指示された場所に保存する。工程２８９で、顧客概要印刷プロセス２８０は終了する。
【００７３】
効率／コスト分析システムと方法５０は、論理機能を実施するための実行可能なインストラクションが配列されたリストを備える。インストラクション実行システムや装置やデバイス、例えば、コンピュータシステムやプロセッサを含むシステムや、インストラクション実行システムや装置やデバイスからのインストラクションをフェッチしてそのインストラクションを実行することができるその他のシステムによって利用されるか、もしくは、それに関連して利用されるコンピュータ読み出し可能な媒体で、その配列されたリストを具現することができる。本文書の文脈では、「コンピュータ読出し可能媒体」は、インストラクション実行システムや装置やデバイスによって利用されるか、もしくはそれに関連して利用されるプログラムを含み、格納し、送り、伝搬し、運搬することができる手段であってもよい。
【００７４】
コンピュータ読出し可能媒体は、例えば、これに限定されることはないが、電子的、磁気的、光学的、電磁気、赤外線、もしくは半導体のシステム、装置、デバイス、もしくは伝搬媒体でよい。コンピュータ読出し可能な媒体の具体例（不完全なリスト）には、以下のものが含まれる。即ち、１本以上の配線を有する電気（電子）接続部と携帯型コンピュータディスケット（磁気）とランダムアクセスメモリ（ＲＡＭ）（磁気）と読出し専用メモリ（ＲＯＭ）（磁気）と消去可能プログラマブル読み出し専用メモリ（ＥＰＲＯＭ、もしくはフラッシュメモリ）（磁気）と光ファイバ（光学的）と携帯型コンパクトディスク読出し専用メモリ（ＣＤＲＯＭ）（光学的）である。
【００７５】
コンピュータ読出し可能媒体は、プログラムが印刷される紙もしくはその他の適切な媒体であってもよいことに注意されたい。何故ならば、プログラムは電子的に、例えば紙もしくはその他の媒体を光学的に走査することによって取り込まれ、必要に応じて適切な方法でコンパイルされるか、翻訳されるか、もしくはその他の処理が行われて、コンピュータメモリ内に格納することができるからである。
【００７６】
前述の説明は、図解と説明の目的で与えられたものである。本発明は、開示された態様の細部まで徹底する、即ち、それに限定されることはない。上記教唆を考慮に入れて、明らかな修正や変更を行うことができる。本開示のフローチャートは、レジスタの利用を最適化するコンパイル／解釈システムを実施できるアーキテクチャと機能とオペレーションを示す。この観点で、各ブロックはモジュールやセグメントやコードの一部を表し、特定の論理機能を実現するための１つ以上の実行可能なインストラクションを備える。また、別の実施態様では、ブロックに記された機能が図面に記された順序からはずれて発生するか、もしくは、例えば関係する機能に基づいてほぼ同時かもしくは逆順に実行されることもあることに注意されたい。
【００７７】
議論されたシステムと方法を選択し、説明し、本発明と本発明の実践的なアプリケーションの原理を最もよく図示することによって、当業者は、本発明を様々な実施形態で利用したり、考慮された特定の用途に適した様々な修正を行って利用したりすることができる。
【図面の簡単な説明】
【図１】
図１は、本発明の効率／コスト分析システムの一構成例を示すブロック図である。
【図２】
図２は、コンピュータ読み出し可能媒体、例えば、コンピュータシステム内にある効率／コスト分析システムのブロック図である。
【図３】
図３は、本発明の効率／コスト分析システムと方法の一プロセスフロー例を示すフローチャートである。
【図４】
図４は、図２と図３に示された本発明の効率／コスト分析のシステムと方法で用いられる新規プロジェクト作成プロセスの一プロセスフロー例を示すフローチャートである。
【図５】
図５は、図２と図３に示される本発明の効率／コスト分析のシステムと方法で用いられるデフォルトの構築プロセスの一例を示すフローチャートである。
【図６】
図６は、図２と図３に示される本発明の効率／コスト分析のシステムと方法で用いられる仮説構築プロセスの一例を示すフローチャートである。
【図７】
図７は、図２と図３に示される本発明の効率／コスト分析のシステムと方法で用いられるデータロードプロセスの一例を示すフローチャートである。
【図８】
図８は、図２と図３で示される本発明の効率／コスト分析システムと方法のステージ単位・実行プロセスの一例を示すフローチャートである。
【図９】
図９は、図２と図３に示される本発明の効率／コスト分析システムと方法の顧客出力作成プロセスの一例を示すフローチャートである。
【図１０】
図１０は、図２と図３に示される本発明の効率／コスト分析システムと方法で用いられるＮ型パッキングシート追加プロセスの一例を示すフローチャートである。
【図１１】
図１１は、図２と図３で示される本発明の効率／コスト分析システムと方法のスナウトリングシート追加プロセスの一例を示すフローチャートである。
【図１２Ａ】
図２と図３に示される本発明の効率／コスト分析システムと方法で用いられるスナウトリング圧力解除プロセスの一例を示すフローチャートである。
【図１２Ｂ】
図２と図３に示される本発明の効率／コスト分析システムと方法で用いられるスナウトリング圧力解除プロセスの一例を示すフローチャートである。
【図１３】
図１３は、図２と図３に示される本発明の効率／コスト分析システムと方法の顧客概要作成プロセスの一例を示すフローチャートである。
【図１４】
図１４は、図２と図３に示される本発明の効率／コスト分析システムと方法の顧客出力印刷プロセスの一例を示すフローチャートである。
【図１５】
図１５は、図２と図３に示される本発明の効率／コスト分析システムと方法の顧客概要印刷プロセスの一例を示すフローチャートである。
【図１】
2004508479.tif 000003
【図２】
2004508479.tif 000004
【図３】
2004508479.tif 000005
【図４】
2004508479.tif 000006
【図５】
2004508479.tif 000007
【図６】
2004508479.tif 000008
【図７】
2004508479.tif 000009
【図８】
2004508479.tif 000010
【図９】
2004508479.tif 000011
【図１０】
2004508479.tif 000012
【図１１】
2004508479.tif 000013
【図１２Ａ】
2004508479.tif 000014
【図１２Ｂ】
2004508479.tif 000015
【図１３】
2004508479.tif 000016
【図１４】
2004508479.tif 000017
【図１５】
2004508479.tif 000018
【国際公開パンフレット】
2004508479.tif 000019
2004508479.tif 000020
2004508479.tif 000021
2004508479.tif 000022
2004508479.tif 000023
2004508479.tif 000024
2004508479.tif 000025
2004508479.tif 000026
2004508479.tif 000027
2004508479.tif 000028
2004508479.tif 000029
2004508479.tif 000030
2004508479.tif 000031
2004508479.tif 000032
2004508479.tif 000033
2004508479.tif 000034
2004508479.tif 000035
2004508479.tif 000036
2004508479.tif 000037
2004508479.tif 000038
2004508479.tif 000039
2004508479.tif 000040
2004508479.tif 000041
2004508479.tif 000042
2004508479.tif 000043
2004508479.tif 000044
2004508479.tif 000045
2004508479.tif 000046
2004508479.tif 000047
2004508479.tif 000048
2004508479.tif 000049
2004508479.tif 000050
2004508479.tif 000051
2004508479.tif 000052
2004508479.tif 000053
2004508479.tif 000054
2004508479.tif 000055
2004508479.tif 000056
2004508479.tif 000057
2004508479.tif 000058
2004508479.tif 000059
2004508479.tif 000060
2004508479.tif 000061
2004508479.tif 000062
2004508479.tif 000063
2004508479.tif 000064
2004508479.tif 000065
2004508479.tif 000066
2004508479.tif 000067
【国際調査報告】
2004508479.tif 000068
2004508479.tif 000069
2004508479.tif 000070